(57)【特許請求の範囲】
【請求項１】
電源電池モジュールであって、
複数のセパレータを有する電池収容アセンブリであって、前記セパレータは、
前方収容溝を画定する前部および後部を有するセパレータ本体と、
前記セパレータ本体の左端に配置される左カバーと、
前記セパレータ本体の右端に配置される右カバーとを備え、
隣接するセパレータは互いに取り外し可能に接続されており、前記隣接するセパレータのうちの一方の前記前方収容溝、および、隣接するセパレータのうちの他方の前記後部が、電池室を画定する、電池収容アセンブリと、
１対１で対応して前記電池室内に収容される複数の電池を含む電池群であって、前記電池は、電極端子を有する、電池群と、
信号収集および電力接続アセンブリであって、前記セパレータ上に取り付けられ、
基板と、
前記基板に固定され、前記電極端子と接続される電力接続部材と、
前記基板上に配置される第１のシート状導体素子によって形成され、前記電力接続部材と接続される第１の端部および第２の端部を画定する電力接続配線と、
前記基板上に配置される第２のシート状導体素子によって形成され、前記電力接続部材と接続される第１の端部および第２の端部を画定する信号収集配線と、
前記基板上に配置され、前記信号収集配線と接続される信号収集部材と
を備える、信号収集および電力接続アセンブリと
を備える、電源電池モジュール。
【請求項２】
前記セパレータ本体の前記後部は後方収容溝を画定し、前記前方収容溝の左壁および右壁のうちの少なくとも一方に前方切り欠きが形成され、前記前方切り欠きに対応する後方切り欠きが、前記後方収容溝の左壁および右壁のうちの少なくとも一方に形成され、
前記前方収容溝および前記後方収容溝のうちの少なくとも一方の下壁上に環状段部が配置され、または、前記前方収容溝および前記後方収容溝のうちの少なくとも一方の前記下壁の表面が、前記下壁の周縁から前記下壁の中心へと下向きに傾けられている、請求項１に記載の電源電池モジュール。
【請求項３】
前記セパレータ本体は、
垂直板と、
前記垂直板の上縁に配置される上側フレームプレートと、
前記垂直板の下縁に配置される下側フレームプレートと、
前記垂直板の左端に配置され、前記上側フレームプレートと接続される上端、および前記下側フレームプレートと接続される下端を画定する左プレートと、
前記垂直板の右端に配置され、前記上側フレームプレートと接続される上端、および前記下側フレームプレートと接続される下端を画定する右プレートとを備え、
前記前方収容溝および前記後方収容溝の各々は前記垂直板、前記上側フレームプレート、前記下側フレームプレート、前記左プレートおよび前記右プレートによって画定される、請求項２に記載の電源電池モジュール。
【請求項４】
前記前方収容溝を前記後方収容溝に連通させるために、前記垂直板内に窓が形成され、
前記上側フレームプレート内に挿入孔が形成され、前記挿入孔と位置合わせされた挿入溝が前記垂直板内に形成され、絶縁板または導熱板が、前記挿入孔および前記挿入溝を介して前記窓内に挿入され、
前記前方切り欠きは前記左プレートおよび前記右プレートの各々の前縁内に形成され、前記後方切り欠きは前記左プレートおよび前記右プレートの各々の後縁内に形成され、
前記左カバーおよび前記右カバーは、前後方向において、前記左プレートおよび前記右プレートの前後方向における幅以上であり、前記上側フレームプレートおよび前記下側フレームプレートの前後方向における幅以下である幅を有する、請求項３に記載の電源電池モジュール。
【請求項５】
前記上側フレームプレートの左端が、左上延伸部を形成するように、前記左プレートを越えて左向きに延伸され、前記下側フレームプレートの左端が、左下延伸部を形成するように、前記左プレートを越えて左向きに延伸され、前記上側フレームプレートの右端が、右上延伸部を形成するように、前記右プレートを越えて右向きに延伸され、前記下側フレームプレートの右端が、右下延伸部を形成するように、前記右プレートを越えて右向きに延伸され、
前記左上延伸部、前記左下延伸部、前記右上延伸部および前記右下延伸部の各々の中に、スナップ嵌めスロットが形成され、
前記左上延伸部の前記スナップ嵌めスロット内にスナップ嵌めされる左上クラスプ、および、前記左下延伸部の前記スナップ嵌めスロット内にスナップ嵌めされる左下クラスプが前記左カバーの右面上に配置され、前記右上延伸部の前記スナップ嵌めスロット内にスナップ嵌めされる右上クラスプ、および、前記右下延伸部の前記スナップ嵌めスロット内にスナップ嵌めされる右下クラスプが前記右カバーの左面上に配置される、請求項３に記載の電源電池モジュール。
【請求項６】
カバー挿入スロットが前記セパレータ本体内に形成され、前記カバー挿入スロット内に嵌まるように適合されている接続クラスプが、前記左カバーおよび前記右カバーの各々の上に配置される、請求項１に記載の電源電池モジュール。
【請求項７】
前記上側フレームプレートおよび前記下側フレームプレートの各々の前側縁に前方段部が配置され、前記上側フレームプレートおよび前記下側フレームプレートの各々の後側縁に後方段部が配置され、
前記前方段部は、下向きに面する第１の前方段部セグメントおよび上向きに面する第２の前方段部セグメントを備え、前記後方段部は、上向きに面し、前記第１の前方段部セグメントに対応する第１の後方段部セグメント、および、下向きに面し、前記第２の前方段部セグメントに対応する第２の後方段部セグメントを備える、請求項３に記載の電源電池モジュール。
【請求項８】
前記セパレータの各々は、上下方向に沿って配列される複数の前記前方収容溝と、前記上下方向に沿って配列され、前記前方収容溝と１対１で対応する複数の前記後方収容溝とを備え、上下方向に隣接する前方収容溝は前方分離板によって互いから分離され、上下方向に隣接する後方収容溝は後方分離板によって互いから分離され、
互いに対応する前記前方分離板および前記後方分離板は一体的に形成され、
複数の前記前方切り欠きが配置されて、前記上下方向において互いから離間され、複数の前記後方切り欠きが配置されて、前記上下方向において互いから離間される、請求項２〜５，７のいずれか一項に記載の電源電池モジュール。
【請求項９】
前記電源電池モジュールは、
前記複数のセパレータのうちの最前方のセパレータにスナップ嵌め構造を介してスナップ嵌めされ、その後側面において後方溝を画定する前方プレートと、
前記複数のセパレータのうちの最後方のセパレータにスナップ嵌め構造を介してスナップ嵌めされ、その前側面において前方溝を画定する後方プレートとをさらに備え、
前記前方プレートの前記後方溝および前記最前方のセパレータの前記前方収容溝が最前方の電池室を画定し、前記前方溝および前記最後方のセパレータの前記後方収容溝が最後方の電池室を画定する、請求項２に記載の電源電池モジュール。
【請求項１０】
前記隣接するセパレータは、スナップ嵌め構造を介して互いに取り外し可能に接続される、請求項１に記載の電源電池モジュール。
【請求項１１】
前記スナップ嵌め構造は、
前記隣接するセパレータのうちの一方に形成されるスナップ嵌め溝と、
前記隣接するセパレータのうちの他方の上に配置され、前記隣接するセパレータ同士をともに締結するために、前記スナップ嵌め溝内に嵌まるように適合されているスナップ嵌め突出部とを備え、
前記前方収容溝の左壁および右壁のうちの少なくとも一方に前方切り欠きが形成され、隣接するセパレータのうちの一方の前記前方切り欠き、および、前記隣接するセパレータのうちの他方の前記後部によって貫通孔が画定され、
前記スナップ嵌め突出部は台形形状を有し、前記スナップ嵌め溝の開口部に誘導スロープが形成されている、請求項１０に記載の電源電池モジュール。
【請求項１２】
前記セパレータ本体の前記後部は後方収容溝を画定し、隣接するセパレータのうちの一方の前記前方収容溝、および、前記隣接するセパレータのうちの他方の前記後方収容溝によって前記電池室が画定され、
前記前方収容溝の左壁および右壁のうちの少なくとも一方に前方切り欠きが形成さ
れ、前記後方収容溝の左壁および右壁のうちの少なくとも一方に後方切り欠きが形成され、互いに対応する前記前方切り欠きおよび前記後方切り欠きによって貫通孔が画定される、請求項１１に記載の電源電池モジュール。
【請求項１３】
前記セパレータ本体は、
垂直板と、
前記垂直板の上縁に配置される上側フレームプレートと、
前記垂直板の下縁に配置される下側フレームプレートと、
前記垂直板の左端に配置され、前記上側フレームプレートと接続される上端および前記下側フレームプレートと接続される下端を画定する左プレートと、
前記垂直板の右端に配置され、前記上側フレームプレートと接続される上端および前記下側フレームプレートと接続される下端を画定する右プレートとを備え、
前記前方収容溝および前記後方収容溝の各々は前記垂直板、前記上側フレームプレート、前記下側フレームプレート、前記左プレートおよび前記右プレートによって画定される、請求項１２に記載の電源電池モジュール。
【請求項１４】
前記スナップ嵌め溝は前記上側フレームプレートの前縁および後縁のうちの一方に形成され、前記スナップ嵌め突出部は、前記上側フレームプレートの前記前縁および前記後縁のうちの他方の上に配置され、
前記スナップ嵌め溝は前記下側フレームプレートの前縁および後縁のうちの一方に形成され、前記スナップ嵌め突出部は、前記下側フレームプレートの前記前縁および前記後縁のうちの他方の上に配置される、請求項１３に記載の電源電池モジュール。
【請求項１５】
前記前方収容溝を前記後方収容溝に連通させるために、前記垂直板内に窓が形成され、絶縁板または導熱板が前記窓内に配置される、請求項１３または１４に記載の電源電池モジュール。
【請求項１６】
前記スナップ嵌め構造は、
前記セパレータ本体内に形成されるスナップフィット溝と、
少なくとも２つのセパレータを接続するように、前記少なくとも２つのセパレータの前記スナップフィット溝にそれぞれフィットする少なくとも２つの取り付け部を有するスナップフィットピンとを備え、
前記スナップフィットピンは接続ブリッジをさらに備え、隣接するセパレータを互いに接続するために、２つの取り付け部が、それぞれ前記接続ブリッジの２つの端部に配置され、前記隣接するセパレータの前記スナップフィット溝にフィットし、前記スナップフィット溝は開口部を有し、前記隣接するセパレータ内の前記スナップフィット溝の前記開口部は、前記接続ブリッジを受け入れるために互いに対向する、請求項１０に記載の電源電池モジュール。
【発明の詳細な説明】
【技術分野】
【０００１】
本開示の実施形態は、概して電池の分野に関し、より詳細には、電源電池モジュールに関する。
【背景技術】
【０００２】
関連技術において、電源電池モジュールのほとんどは、マルチプレート構造または上下ハウジング構造を有する電池収容アセンブリを採用している。これらの構造は電池を良好に保護することができるが、マルチプレート構造および上下ハウジング構造の制限に起因して、電池の組み合わせモードを自由に拡大し展開することができない。電池の組み合わせモードが変化される必要があるとき、電池の新たな組み合わせ様式を再設計し再展開する必要があり、それによって、多くの時間を無駄にし、費用を大きく増大させる。また、マルチプレート構造および上下ハウジング構造を有する電池収容アセンブリは、電源電池モジュールの自動生産には適しておらず、したがって、電源電池モジュールの費用を増大させる。
【発明の概要】
【発明が解決しようとする課題】
【０００３】
本開示の実施形態は、関連技術に存在する問題のうちの少なくとも１つを少なくとも一定程度まで解決することを模索する。
【０００４】
したがって、本開示の目的は、電池の数を自由に拡大することができ、実際の要件に従って電池の複数の異なる接続様式に適合することができる電源電池モジュールを提供することである。
【課題を解決するための手段】
【０００５】
本開示の広範な態様の実施形態は、複数のセパレータを有する電池収容アセンブリと、電池群と、信号収集および電力接続アセンブリとを含む、電源電池モジュールを提供する。セパレータは、前方収容溝を画定する前部および後部を有するセパレータ本体と、セパレータ本体の左端に配置される左カバーと、セパレータ本体の右端に配置される右カバーとを含み、隣接するセパレータは互いに取り外し可能に接続され、隣接するセパレータのうちの一方の前方収容溝、および、隣接するセパレータのうちの他方のセパレータ本体の後部が電池室を画定する。電池群は、対応して電池室内に収容される複数の電池を含み、電池は、電極端子を有する。信号収集および電力接続アセンブリは、セパレータに取り付けられ、基板と、基板に固定され電極端子と接続される電力接続部材と、基板上に配置される第１のシート状導体素子によって形成され、電力接続部材と接続される第１の端部および第２の端部を画定する電力接続配線と、基板上に配置される第１のシート状導体素子によって形成され、電力接続部材と接続される第１の端部および第２の端部を画定する信号収集配線と、基板上に配置され信号収集配線と接続される信号収集部材とを含む。
【０００６】
互いに取り外し可能に接続されている電池および複数のセパレータを収容するための電池室を画定する隣接するセパレータによって、本開示の実施形態による電源電池モジュールは、電池の数を自由に拡大することができ、実際の要件に従って、電池の複数の異なる接続様式（直列接続、並列接続、および直列−並列接続など）に適合することができる。また、左カバーおよび右カバーは、セパレータおよびセパレータ内の電池を保護するように、各セパレータの端部に配置される。その一方で、電力接続配線および信号収集配線は基板上のシート状導体素子によって形成されるため、信号送信および電力接続を実施するためにワイヤを使用することが回避される。信号収集および電力接続アセンブリは容易に製造され、種々の状況に広く使用することができ、それによって、電池の使用中に新たな種類の信号が収集される必要があるとき、信号収集および電力接続アセンブリ全体を調整することなく、対応する信号収集部材を追加することが簡便であり、したがって、高い利便性および信頼性をもたらす。
【０００７】
加えて、本開示の実施形態による信号収集および電力接続アセンブリは、基板上で電力接続配線、信号収集配線、電力接続部材および信号収集部材を一体化する。したがって、信号収集および電力接続アセンブリは、サイズが小さく、軽量で、低コストであり、製造および組み立てられるのが容易であり、組み立て効率を増大させ、自動生産に適合されている。信号収集および電力接続アセンブリは、信号送信と電力伝達の機能を組み合わせ、それによって、信号収集および電力接続アセンブリの動作は簡便である。加えて、信号収集および電力接続アセンブリは、単純な構造および様々な締結様式を有し、したがって、広範な適用を可能にする。
【０００８】
本開示の実施形態による電源電池モジュールによって、電池間の電力接続のための追加の電力接続部材を提供する動作を省くことができる。電源電池モジュールを組み立てる工程において、電池が配列された後、信号収集および電力接続アセンブリは、電源電池モジュール上に配置され、電池の電池端子が、信号収集および電力接続部材の電力接続部材と接続される。さらに、従来の電力接続部材と比較して、本開示の実施形態による信号収集および電力接続アセンブリは、相対的に柔軟であり、それによって、従来の電力接続部材の製造工程の間に配置される必要がある緩衝構造が、本発明においては必要とされず、したがって、製造が容易になり、費用が節約される。また、本開示の実施形態による電源電池モジュール内の電力接続部および信号収集部は、電源電池モジュールの組み立て信頼性を向上するように、一体的に形成される。
【０００９】
本開示の実施形態の追加の態様および利点が、以下の説明において部分的に与えられ、以下の説明から部分的に明らかになり、または、本開示の実施形態の実践から学習される。
【図面の簡単な説明】
【００１０】
本開示の実施形態のこれらのおよび他の態様および利点が、添付の図面を参照して行われる以下の説明から明らかになり、より容易に諒解される。
【００１１】
【図１】本開示の一実施形態による組み立て済み電源電池モジュールの概略図である。
【図２】別の方向からの図１に示されている電源電池モジュールの概略図である。
【図３】図１に示す電池収容アセンブリと電池との間の組み立て関係を示す概略図である。
【図４】図１に示す電源電池モジュールのセパレータ間の組み立て関係を示す概略図である。
【図５】図４内の領域Ａの拡大図である。
【図６】図１に示す電源電池モジュールのセパレータの斜視図である。
【図７】本開示の別の実施形態による電源電池モジュールの概略図である。
【図８】左カバーおよび右カバーのない、図７に示されているものとしての電源電池モジュールの概略図である。
【図９】本開示のさらなる実施形態による電池収容アセンブリと電池との間の組み立て関係を示す概略図である。
【図１０】図９に示す領域Ｂの拡大図である。
【図１１】図９に示す電源電池モジュール内のセパレータの斜視図である。
【図１２】図９に示す電池収容アセンブリのセパレータと絶縁板または導熱板との間の組み立て関係を示す概略図である。
【図１３】図９に示す電源電池モジュールのスナップフィットピンの斜視図である。
【図１４】図１３に示す領域Ｃの拡大図である。
【図１５】本開示の一実施形態による電源電池モジュールの信号収集および電力接続アセンブリの概略図である。
【図１６】図１５の部分拡大概略図である。
【図１７】本開示の一実施形態による電源電池モジュールの電池の概略図である。
【図１８】本開示の一実施形態による電源電池モジュールの概略図である。
【図１９】本開示の一実施形態による電源電池モジュールの信号収集および電力接続アセンブリの概略図である。
【発明を実施するための形態】
【００１２】
本開示の実施形態を詳細に参照する。同じまたは同様の要素、および、同じまたは同様の機能を有する要素は、本明細書全体を通じて同様の参照符号によって示されている。図面を参照して本明細書において説明されている実施形態は説明的な、実例のものであり、本開示を全般的に理解するために使用される。実施形態は、本開示を限定するものとして解釈されるべきではない。
【００１３】
本明細書において、「中央（ｃｅｎｔｒａｌ）」、「長手方向（ｌｏｎｇｉｔｕｄｉｎａｌ）」、「側方（ｌａｔｅｒａｌ）」、「前方（ｆｒｏｎｔ）」、「後方（ｒｅａｒ）」、「右（ｒｉｇｈｔ）」、「左（ｌｅｆｔ）」、「内側（ｉｎｎｅｒ）」、「外側（ｏｕｔｅｒ）」、「下側（ｌｏｗｅｒ）」、「上側（ｕｐｐｅｒ）」、「水平（ｈｏｒｉｚｏｎｔａｌ）」、「垂直（ｖｅｒｔｉｃａｌ）」、「上方（ａｂｏｖｅ）」、「下方（ｂｅｌｏｗ）」、「上（ｕｐ）」、「上部（ｔｏｐ）」、「下部（ｂｏｔｔｏｍ）」、「内側（ｉｎｎｅｒ）」、「外側（ｏｕｔｅｒ）」、「時計回り（ｃｌｏｃｋｗｉｓｅ）」、「反時計回り（ａｎｔｉｃｌｏｃｋｗｉｓｅ）」のような相対的な用語およびそれらの派生語（たとえば、「水平に（ｈｏｒｉｚｏｎｔａｌｌｙ）」、「下向きに（ｄｏｗｎｗａｒｄｌｙ）」、「上向きに（ｕｐｗａｒｄｌｙ）」などは、そのとき説明されているものとしての、または、説明されている図面内で示されているものとしての向きを指すものとして解釈されるべきである。これらの相対的な用語は、説明の便宜上のものであり、本開示が特定の向きにおいて解釈または操作されることを必要としない。
【００１４】
加えて、「第１の」および「第２の」のような用語は、本明細書において、説明を目的としたものであり、相対的な重要性または重大性を指示または暗示するようには意図されていない。したがって、「第１の」および「第２の」によって限定される特徴は、１つまたは２つ以上のこれらの特徴が含まれることを指示または暗示するように意図されている。本開示の説明において、「複数の」とは、２つまたは３つ以上に関係する。
【００１５】
本開示の説明において、別途指定または限定されていないかぎり、「取り付けられている（ｍｏｕｎｔｅｄ）」、「接続されている（ｃｏｎｎｅｃｔｅｄ）」、「結合されている（ｃｏｕｐｌｅｄ）」および「締結されているｆａｓｔｅｎｅｄ）」という用語は、２つの要素間の永続的な接続または取り外し可能な接続、電気的接続または機械的接続、直接接続、または、介在する内部連通もしくは相互作用を介した間接接続のように、広範に理解され得ることが留意されるべきである。当業者であれば、特定の状況による本開示内の特定の意図を理解するはずである。
【００１６】
本開示の説明において、第１の特徴が第２の特徴の「上（ｏｎ）」にある構造は、別途指定しないかぎり、第１の特徴が第２の特徴に直に接している実施形態を含むことができ、第１の特徴と第２の特徴との間に追加の特徴が形成されており、それによって、第１の特徴が第２の特徴に直に接していない実施形態をも含むことができる。さらに、第２の特徴の「上（ｏｎ）」、「上方（ａｂｏｖｅ）」または「上部（ｏｎ  ｔｏｐ  ｏｆ）」にある第１の特徴は、  第１の特徴が第２の特徴のまさに「上」、「上方」または「上部」にある実施形態を含むことができ、第１の特徴が第２の特徴のまさに「上」、「上方」または「上部」にはない実施形態を含むこともでき、すなわち、第１の特徴が第２の特徴の海抜高度よりも高い海抜高度を有することを意味しているにすぎない。一方、第２の特徴の「下（ｂｅｎｅａｔｈ）」、「下方（ｂｅｌｏｗ）」または「下部（ｏｎ  ｂｏｔｔｏｍ  ｏｆ）」にある第１の特徴は、  第１の特徴が第２の特徴のまさに「下」、「下方」または「下部」にある実施形態を含むことができ、第１の特徴が第２の特徴のまさに「下」、「下方」または「下部」にはない実施形態を含むこともでき、すなわち、第１の特徴が第２の特徴の海抜高度よりも低い海抜高度を有することを意味しているにすぎない。
【００１７】
本開示の実施形態による電源電池モジュール１０００を、図１〜図１９を参照して以下に説明する。電源電池モジュール１０００は、電気車両の電源としての役割を果たし、したがって、その性能および安全性が、電気車両全体の重要なファクタとなる。
【００１８】
図１〜図１９に示すように、本開示の実施形態による電源電池モジュール１０００は、電池収容アセンブリ１００と、電池群と、信号収集および電力接続アセンブリ４００とを含む。
【００１９】
電池収容アセンブリ１００は、複数のセパレータ１０を有し、セパレータ１００の各々は、セパレータ本体１１と、左カバー１２と、右カバー１３とを含む。セパレータ本体１１は、互いに対向している前部および後部を画定し、前方収容溝１４がセパレータ本体１１の前部内に形成されている。詳細には、前方収容溝は、セパレータ本体１１の前部から後ろ向きに延伸するように構成されている。本開示のいくつかの実施形態において、複数のセパレータが、前後方向において互いに平行に配置されている。
【００２０】
左カバー１２がセパレータ本体１１の左端に配置されており、右カバー１３がセパレータ本体１１の右端に配置されている。隣接するセパレータ１０は互いに取り外し可能に接続されており、隣接するセパレータ１０のうちの一方の前方収容溝１４、および、隣接するセパレータ１０のうちの他方のセパレータ本体１１の後部が、電池室を画定する。
【００２１】
電池群は、対応して電池室内に収容される複数の電池１０１を含み、すなわち、１つの電池１０１が１つの電池室内に収容され、電池１０１の各々は、電極端子４１１を有する。
【００２２】
信号収集および電力接続アセンブリ４００は、セパレータ１０に取り付けられ、基板４０１と、電力接続部材４０７と、電力接続配線４０７１と、信号収集配線４０２１と、信号収集部材４０２とを含む。
【００２３】
詳細には、電力接続部材４０７は基板４０１に固定され、電極端子４１１と接続される。電力接続配線４０７１は、基板４０１上に配置される第１のシート状導体素子によって形成され、電力接続部材４０７と接続される第１の端部および第２の端部を画定する。信号収集配線４０２１は、基板４０１上に配置される第２のシート状導体素子によって形成され、電力接続部材４０７と接続される第１の端部および第２の端部を画定する。また、信号収集部材４０２が基板４０１上に配置され、信号収集配線４０２１の第２の端部と接続される。
【００２４】
隣接するセパレータ１０は互いに取り外し可能に接続されるため、実際の要件に従って任意の数のセパレータ１０をともに接続することができ、それによって、任意の数の電池１０１を、複数の異なるパラメータを有する電源電池モジュール１０００の要件を満たすために利用することができる、すなわち、電源電池モジュール１０００は、実際の要件に従って自由に拡大および展開することができる。たとえば、電力収容アセンブリ１００が電池１０１を収容する容量は、セパレータ１０の数を増大させることによって向上することができる。言い換えれば、セパレータ１０の数を増大させることによって、電源電池モジュール１０００内の電池室の数も増大させることができ、それによって、より多くの収容空間を、電源電池モジュール１０００内の追加の電池１０１のために提供することができる。
【００２５】
したがって、電池１０１を収容するように構成されている電池室を画定し、互いに取り外し可能に接続されている、隣接するセパレータ１０によって、本開示の実施形態による電源電池モジュール１０００は、電池１０１の数を自由に拡大することができ、実際の要件に従って、電池の複数の異なる接続様式（電池１０１の直列接続、並列接続および直列−並列接続）に適合することができる。また、セパレータ１０およびセパレータ１０内の電池１０１を保護するように、左カバー１２および右カバー１２も、対応してセパレータ１０の端部に配置される。その一方で、電力接続配線４０７１および信号収集配線４０２１は基板４０１上のシート状導体素子によって形成されるため、信号送信および電力接続を実施するためにワイヤを使用することが回避される。信号収集および電力接続アセンブリ４００は容易に製造され、種々の状況においてにおいて広く使用することができ、それによって、電池の使用中に新たな種類の信号が収集される必要があるとき、信号収集および電力接続アセンブリ４００全体を調整することなく、信号収集部材を追加することが簡便であり、したがって、大きい利便性および信頼性をもたらす。
【００２６】
加えて、本開示の実施形態による信号収集および電力接続アセンブリ４００は、基板４０１上で電力接続配線４０７１、信号収集配線４０２１、電力接続部材４０７および信号収集部材４０２を一体化する。したがって、信号収集および電力接続アセンブリ４００は、サイズが小さく、軽量で、低コストであり、製造および組み立てられるのが容易であり、組み立て効率を増大させ、自動生産に適合されている。信号収集および電力接続アセンブリ４００は、信号送信と電力伝達の機能を組み合わせ、それによって、信号収集および電力接続アセンブリ４００の動作は簡便である。加えて、信号収集および電力接続アセンブリ４００は、単純な構造および様々な締結様式を有し、したがって、広範な適用を可能にする。
【００２７】
本開示の実施形態による電源電池モジュール１０００によって、電池１０１間の電力接続のための追加の電力接続部材を提供する動作を省くことができる。電源電池モジュールを組み立てる工程において、電池１０１が配列された後、信号収集および電力接続アセンブリ４００は、電源電池モジュール上に配置され、電池１０１の電池端子４１１が、信号収集および電力接続アセンブリ４００の電力接続部材４０７と接続される。さらに、従来の電力接続部材と比較して、本開示の実施形態による信号収集および電力接続アセンブリ４００は、相対的に柔軟であり、それによって、従来の電力接続部材の製造工程の間に配置される必要がある緩衝構造が、本開示の信号収集および電力接続アセンブリ４００には必要とされず、したがって、製造が容易になり、費用が節約される。また、本開示の実施形態による電源電池モジュール１０００内の電力接続部および信号収集部は、電源電池モジュールの組み立て信頼性を向上するように、一体的に形成される。
【００２８】
本開示のいくつかの実施形態において、電池室の左壁および右壁のうちの少なくとも一方の中に貫通孔が形成され得る。貫通孔は、電池室を通過する電極の出口としての役割を果たし、電池１０１間の接続を容易にするように、貫通孔を介して電池１０１の正電極および負電極が、外部に延伸し得る。または、貫通孔は、防爆弁の位置決め孔６２１または注入孔としての役割を果たしてもよい（防爆液が注入孔を介して電池室内に注入され得る）、すなわち、貫通孔の機能は、電源電池モジュール１０００の機能開発を促進するように、実際の要件に従って決定することができる。
【００２９】
代替的に、互いに対向している２つの切り欠きが、それぞれ隣接するセパレータ１０内に形成されてもよく、２つの切り欠きが貫通孔を形成する。本開示の一実施形態において、貫通孔の断面は、円形、楕円形、多角形または不規則形状であってもよい。
【００３０】
代替的に、複数の貫通孔が配置され、上下方向において互いから離間される、すなわち、複数の切り欠きが１つのセパレータ１０内に形成されて、上下方向において互いから離間されてもよい。
【００３１】
詳細には、前方収容溝１４は、セパレータ本体１１の前部から後ろ向きに延伸するように構成されている。前方収容溝１４の左壁および右壁のうちの少なくとも一方の中に前方切り欠き１４１が形成され、隣接するセパレータ１０のうちの一方の前方収容溝１４、および、隣接するセパレータ１０のうちの他方のセパレータ本体１１の後部が、電池室を画定する。また、隣接するセパレータ１０のうちの一方の前方切り欠き１４１、および、隣接するセパレータ１０のうちの他方のセパレータ本体１１の後部が、貫通孔を画定する。言い換えれば、電池１０１の収容溝は各セパレータ１０の前部内にのみ形成され、前方収容溝１４、および、隣接するセパレータ１０の後部が、電池１０１を収容するための電池室を画定する。それゆえ、セパレータ１０は、より単純な構造を有し、製造されることが容易である。
【００３２】
いくつかの実施形態において、各セパレータの後部が後方収容溝を画定することができ、前方切り欠き１４１に対応する後方切り欠き１５１を、後方収容溝の左壁および右壁のうちの少なくとも一方の中に形成することができる。隣接するセパレータ１０のうちの一方の前方収容溝１４、および、隣接するセパレータ１０のうちの他方の後方収容溝によって電池室を画定することができ、隣接するセパレータ１０のうちの一方の前方切り欠き１４１、および、隣接するセパレータ１０のうちの他方の後方切り欠き１５１によって、貫通孔を画定することができる。それゆえ、電池１０１を収容するためのより多くの空間を有するために、前方収容溝１４および後方収容溝によって電池室が画定される。各セパレータ１０の前部および後部の構造は互いに同一であってもよく、それによって、セパレータは、対称構造を有することができる。
【００３３】
代替的に、前方切り欠き１４１および後方切り欠き１５１は、半円として構成されてもよく、したがって、前方切り欠き１４１および後方切り欠き１５１によって画定される貫通孔は、円形断面を有することができる。本開示の一実施形態において、複数のセパレータ１０の各々は同じ構造を有することができ、それによって、複数のセパレータ１０を同じ型セットによって製造することができ、したがって、費用が節約され、電源電池モジュール１０００の組み立ておよび量産が促進される。
【００３４】
図４および図６に示すように、セパレータ１０の各々は、上下方向に沿って配列されている２つの前方収容溝１４、および、上下方向に沿って、前方収容溝１４に対して１対１対応で配列されている２つの後方収容溝を含む。２つの前方収容溝１４は前方分離板１１１０によって互いから分離されており、２つの後方収容溝は、後方分離板１１０１によって互いから分離されている。それゆえ、２つのセパレータ１０の間に２つの電池１０１を収容するための２つの電池室が形成され、したがって、電池１０１を収容するための電池収容アセンブリ１００の容量がさらに向上し、電源電池モジュール１０００の構造がコンパクトになる。２つの隣接するセパレータ１０の間に形成され、上下方向において互いから離間される２つの電池室は例示にすぎず、限定ではないことを、当業者であれば理解することができる。言い換えれば、３つまたは４つ以上のような、より多くの電池室が隣接するセパレータの間に形成されてもよく、したがって、より多くの電池１０１を電池収容アセンブリ１００内に配置することができ、それによって、電源電池モジュール１０００は、使用されることが容易であり、高い拡張性を有する。本開示の一実施形態において、互いに対応する前方分離板１１１０および後方分離板１１０１は一体的に形成される。
【００３５】
図６、図１１および図１２に示すように、セパレータ１１は、垂直板１１１と、上側フレームプレート１１２と、下側フレームプレート１１３と、左プレート１１４と、右プレート１１５とを含む。上側フレームプレート１１２は垂直板１１１の上縁に配置され、下側フレームプレート１１３は垂直板１１１の下縁に配置され、左プレート１１４は垂直板１１１の左端に配置され、上側フレームプレート１１２と接続されている上端部および下側フレームプレート１１３と接続されている下端部を画定し、右プレート１１５は垂直板１１１の右端に配置され、上側フレームプレート１１２と接続されている上端部および下側フレームプレート１１３と接続されている下端部を画定する。
【００３６】
前方収容溝１４および後方収容溝の各々は、垂直板１１１、上側フレームプレート１１２、下側フレームプレート１１３、左プレート１１４および右プレート１１５によって画定される。それによって、セパレータ本体１１は、より単純な構造を有し、製造することが容易である。本開示の一実施形態において、セパレータ１０は一体的に形成されてもよく、すなわち、垂直板１１１、上側フレームプレート１１２、下側フレームプレート１１３、左プレート１１４および右プレート１１５は一体的に形成されてもよく、それによって、垂直板１１１、上側フレームプレート１１２、下側フレームプレート１１３、左プレート１１４および右プレート１１５の間の接続強度が向上し、したがって、セパレータ１０の構造強度が向上する。さらに、電池１０１のための電池収容アセンブリ１００の保護が改善される。
【００３７】
代替的に、前方切り欠き１４１が、左プレート１１４および右プレート１１５の各々の前縁に形成されてもよく、後方切り欠き１５１が、左プレート１１４および右プレート１１５の各々の後縁に形成されてもよい。言い換えれば、電池室の左側と右側の両方に貫通孔が形成されてもよく、それによって、電池１０１の電極を、左貫通孔または右貫通孔を介して電池室の外部に延伸することができる。防爆弁の位置決め孔６２１、注入孔および電極のための貫通孔の位置は、電池１０１の構造に従って配置することができる。複数の前方切り欠き１４１が配置されて、上下方向において互いから離間され、複数の後方切り欠き１５１が配置されて、上下方向において互いから離間される、すなわち、電池室の左側と右側の両方に、複数の貫通孔が形成される。
【００３８】
加えて、電源電池モジュール１０００が正常に機能するとき、電池室の周壁と電池１０１との間の間隙が形成され得、それによって、電池１０１を電源電池１０００内の空気によって冷却することができる。電源電池モジュール１０００の電池１０１内に異常な状態が発生しているとき、たとえば、電池１０１が膨張しているとき、電池室の周壁と電池１０１との間の間隙が、電池１０１の、厚さ方向における変形を許容することができ、したがって、電源電池モジュール１０００の安全性が向上する。
【００３９】
前方収容溝１４および後方収容溝のうちの少なくとも一方の下壁には環状段部１４２が配置される。本開示の一実施形態において、環状段部１４２は、前方収容溝１４および後方収容溝の各々の下壁上に配置される。環状段部１４２を配置することによって、各前方収容溝１４および後方収容溝の下壁を、電池１０１の外面から分離することができ、したがって、電池室の周壁と電池１０１との間の間隙が確保される。
【００４０】
代替的に、前方収容溝１４および後方収容溝のうちの少なくとも一方の下壁の表面が、下壁の周縁から下壁の中心へと下向きに傾けられる。本開示の一実施形態において、前方収容溝１４および後方収容溝の各々の下壁の表面が、下壁の周縁から下壁の中心へと下向きに傾けられ、したがって、電池室の周壁と電池１０１との間の間隙が確保される。各前方収容溝１４および後方収容溝の下壁の表面は、垂直板１１１の表面であってもよいことが留意されるべきである。
【００４１】
安全性および信頼性の要件を満たすために、セパレータ１０は、ＰＰＯ（ポリフェニレンオキシド）、ＰＰ（ポリプロピレン）、ＰＥＴ（ポリエチレングリコールテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それによって、本開示の実施形態によるセパレータ１０は、高い強度を有し、電源電池モジュール１０００に対する衝突の発生のような異常な状態において、電池１０１を効果的に保護することができる。たとえば、セパレータ本体１１は、全体を射出成形によって形成することができ、射出成形の間にこれらの材料内に金属を埋め込むことができ、それによって、セパレータ１０の構造強度がさらに向上する。その上、セパレータ１０は射出成形後に直に離型することができ、それによって、セパレータ１０は製造について簡便であり、費用が節約される。
【００４２】
図１２に示すように、上側フレームプレート１１２および下側フレームプレート１１３の各々の前側縁に前方段部１１８が配置され、上側フレームプレート１１２および下側フレームプレート１１３の各々の後側縁に後方段部１１９が配置される。複数のセパレータ１０がともに組み立てられるとき、隣接するセパレータ１０のうちの一方の上側フレームプレート１１２の前側縁に配置されている前方段部１１８が、隣接するセパレータ１０のうちの他方の上側フレームプレート１１２の後側縁に配置されている後方段部１１９と重ね合わされる。同様に、隣接するセパレータ１０のうちの一方の下側フレームプレート１１３の前側縁に配置されている前方段部１１８が、隣接するセパレータ１０のうちの他方の下側フレームプレート１１３の後側縁に配置されている後方段部１１９と重ね合わされる。したがって、電池収容アセンブリ１００の外観は美的であり、隣接するセパレータ１０を互いに近密に接続することができる。その上、電源電池モジュール１０００の組み立て効率が向上し、電源バッターモジュール１０００の製造費用が低減する。本開示の一実施形態において、前方段部１１８は下向きに面することができ、後方段部１１９は上向きに面することができ、それによって、対応する前方段部１１８と後方段部１１９とが互いにより良好にフィットすることができる。
【００４３】
図１２に示すような本開示の一実施形態において、前方段部１１８は、下向きに面する第１の前方段部セグメント１１８１、および上向きに面する第２の前方段部セグメント１１８２を含み、後方段部１１９は、上向きに面し、第１の前方段部セグメント１１８１に対応する第１の後方段部セグメント、および、下向きに面し、第２の前方段部セグメント１１８２に対応する第２の後方段部セグメント１１９１を含む。それによって、隣接するセパレータ１０を、互いにより近密に組み立てることができ、それによって、より良好な組み立て効果を達成することができる。その上、前方段部１１８および後方段部１１９をそれぞれ２つのセグメントに分割することによって、前方段部１１８と後方段部１１９との間の接続に起因して、隣接するセパレータ１０同士をともに組み立て、互いに対して位置付けることができ、隣接するセパレータ１０間の接続が安定する。
【００４４】
本開示のいくつかの実施形態において、前方収容溝１４を後方収容溝と連通させるために窓１１１１を垂直板１１１内に形成することができる、すなわち、前方収容溝１４および後方収容溝が互いに連通する。言い換えれば、垂直板１１１は、前後方向に貫通される構造として構成され、それによって、製造材料が節約され、費用が低減する。
【００４５】
絶縁板１６または導熱板１７が窓１１１１の中に配置され得る。絶縁板１６を配置することによって、隣接する電池１０１間の絶縁性を向上させることができ、それによって、電源電池モジュール１０００の安全性能を増大させることができる。導熱板１７を配置することによって、電池室内の電池１０１の放射効果を向上させることができ、したがって、電源電池モジュール１０００の安全性能も増大させることができ、電池１０１の可使時間を延長することができる。
【００４６】
詳細には、上側フレームプレート１１２内に挿入孔が形成され、挿入孔と位置合わせされた挿入溝が垂直板１１１内に形成され、絶縁板１６または導熱板１７が、挿入孔および挿入溝を介して窓１１１１内に挿入される。
【００４７】
図１〜図３、図６、図７、図９および図１１に示すように、本開示のいくつかの実施形態において、左カバー１２および右カバー１３を、セパレータ本体１１によって一体的に形成することができ、それによって、セパレータ本体１１と左カバー１２および右カバー１３との間の接続強度が向上し、左カバー１２および右カバー１３の複雑な組み立て工程を回避することができ、したがって、組み立て速度が増大する。
【００４８】
確実に、本開示の実施形態による本開示はこれには限定されず、左カバー１２および右カバー１３は、それぞれセパレータ１１上に取り外し可能に配置されてもよい。言い換えれば、セパレータ１１、左カバー１２および右カバー１３は独立して製造されてもよく、その後、左カバー１２および右カバー１３は、接続構造を介してセパレータ１１上に配置される。それによって、セパレータ１１、左カバー１２および右カバー１３のうちの１つが損傷を受けると、アセンブリ全体を交換することなく、対応するものだけを交換すればよく、したがって、保守管理が容易になり、その費用が節約される。
【００４９】
図６に示すような本開示の一実施形態において、スナップ嵌めスロット１１７をセパレータ本体１１内に形成することができ、スナップ嵌めスロット１１７内にスナップ嵌めされるクラスプ１３４を、それぞれ左カバー１２および右カバー１３上に配置することができる。クラスプ１３４をスナップ嵌めスロット１１７内にスナップ嵌めすることによって、左カバー１２および右カバー１３がそれぞれセパレータ本体１１上に配置され、それによって、左カバー１２とセパレータ１０との間、および、右カバー１３とセパレータ１０との間の接続が単純になる。図６に示すように、クラスプ１３４は、左カバー１２および右カバー１３の各々の上端および下端上に配置することができ、それによって、左カバー１２および右カバー１３をセパレータ本体１１上に安定して配置することができる。
【００５０】
図１１に示すような本開示の別の実施形態において、上側フレームプレート１１２の左端が、左上延伸部１１２１を形成するように、左プレート１１４を越えて左向きに延伸され、下側フレームプレート１１３の左端が、左下延伸部１１３１を形成するように、左プレート１１４を越えて左向きに延伸され、上側フレームプレート１１２の右端が、右上延伸部１１２２を形成するように、右プレート１１５を越えて右向きに延伸され、下側フレームプレート１１３の右端が、右下延伸部１１３２を形成するように、右プレート１１５を越えて右向きに延伸される。その上、左上延伸部１１２１、左下延伸部１１３１、右上延伸部１１２２および右下延伸部１１３２の各々の中に、スナップ嵌めスロット１１６が形成される。対応して、左上延伸部１１２１のスナップ嵌めスロット１１６内にスナップ嵌めされる左上クラスプ１２１、および、左下延伸部１１３１のスナップ嵌めスロット１１６内にスナップ嵌めされる左下クラスプが左カバー１２の右面上に配置され、右上延伸部１１２２のスナップ嵌めスロット１１６内にスナップ嵌めされる右上クラスプ１３１、および、右下延伸部１１３２のスナップ嵌めスロット１１６内にスナップ嵌めされる右下クラスプ１３２が右カバー１３の左面上に配置される。それゆえ、左カバー１２および右カバー１３をセパレータ１０上に簡便に配置することができる。
【００５１】
図１１に示すように、左上クラスプ１２１および左下クラスプは左カバー１２の右面上に配置することができ、右上クラスプ１３１および右下クラスプ１３２は右カバー１３の左面上に配置することができ、それによって、左上クラスプ１２１、左下クラスプ、右上クラスプ１３１および右下クラスプ１３２の構造強度が向上する。
【００５２】
代替的に、左カバー１２および右カバー１３は、前後方向において、左プレート１１４および右プレート１１５の前後方向における幅以上であり、かつ上側フレームプレート１１２および下側フレームプレート１１３の前後方向における幅以下である幅を有する。左カバー１２および右カバー１３が、前後方向において、左プレート１１４および右プレート１１５の前後方向における幅よりも大きい幅を有するとき、左カバー１２または右カバー１３は、左プレート１１４間または右プレート１１５間の間隙を被覆することができるため、隣接するセパレータ１０の左プレート１１４間、および、隣接するセパレータ１０の右プレート１１５間に間隙が形成され得る。左カバー１２および右カバー１３が、前後方向において、左プレート１１４および右プレート１１５の前後方向における幅に等しい幅を有するとき、隣接するセパレータ１０の左プレート１１４は互いに近密に接し、隣接するセパレータ１０の右プレート１１５は互いに近密に接し、それによって、左プレート１１４、右プレート１１５、左カバー１２または右カバー１３は、電池１０１を適切に保護することができる。
【００５３】
左カバー１２および右カバー１３の安全性および信頼性の要件を満たすために、左カバー１２および右カバー１３は、ＰＰＯ（ポリフェニレンオキシド）、ＰＰ（ポリプロピレン）、ＰＥＴ（ポリエチレングリコールテレフタレート）、ＡＢＳ（アクリロニトリルブタジエンスチレン）、ＰＣ（ポリカーボネート）または内部に金属を埋め込まれているこれらの材料のような、高い強度、高い耐食性、大きい耐候性、良好な耐火性および高い絶縁性を有するエンジニアリングプラスチックおよび複合材料から作製することができる。それによって、左カバー１２および右カバー１３は高い強度、耐食性および良好な耐火性を有し、電源電池モジュール１０００に対する衝突の発生のような異常な状態において、電池１０１を効果的に保護することができる。
【００５４】
図１〜図３および図７〜図９に示すように、本開示のいくつかの実施形態において、電池収容アセンブリ１００は、前方プレート２０をさらに含む。前方プレート２０は、その後側面において後方溝２１を画定する。前方プレート２０の後方溝２１、および、複数のセパレータ１０のうちの最前方のセパレータ１０の前方収容溝１４が、最前方の電池室を画定する。前方プレート２０は最前方のセパレータ１０とスナップ嵌めされ、代替的に、前方プレート２０は、スナップ嵌め構造６０を介して最前方のセパレータ１０とスナップ嵌めされてもよい。前方プレート２０はその前側に溝を画定しなくてもよく、それによって前方プレート２０は単純な構造を有し、製造されることが容易になり、したがって、材料および空間が節約される。
【００５５】
対応して、電池収容アセンブリ１００は、後方プレート３０をさらに含む。後方プレート３０は、その前側面において前方溝を画定する。前方溝、および、複数のセパレータ１０のうちの最後方のセパレータの後方収容溝が、最後方の電池室を画定する。後方プレート３０は最後方のセパレータ１０とスナップ嵌めされ、代替的に、後方プレート３０は、上記スナップ嵌め構造６０を介して最後方のセパレータ１０とスナップ嵌めされてもよい。後方プレート３０はその後側に溝を画定しなくてもよく、それによって後方プレート３０は単純な構造を有し、製造されることが容易になり、したがって、材料および空間が節約される。本開示の一実施形態において、左カバー１２が前方プレート２０の左側に配置されてもよく、右カバー１３が前方プレート２０の右側に配置されてもよく、左カバー１２が後方プレート３０の左側に配置されてもよく、右カバー１３が後方プレート３０の右側に配置されてもよく、それによって、前方プレート２０および後方プレート３０をより良好に保護することができる。
【００５６】
図１〜図１２に示すように、本開示のいくつかの実施形態において、隣接するセパレータ１０はスナップ嵌め構造６０を介して互いに取り外し可能に接続され、それによって、電池収容アセンブリ１００を組み立て、分解することが簡便になり、組み立て工程が単純化され、組み立て効率が向上する。さらに、電源電池モジュール１０００について、その拡張性が向上し、その開発費用が低減し、その開発時間が短縮される。
【００５７】
本開示の実施形態によるスナップ嵌め構造６０を、図１〜図６を参照して説明する。図１〜図６に示すように、スナップ嵌め構造は、隣接するセパレータ１０のうちの一方の中に形成されるスナップ嵌め溝６１と、隣接するセパレータ１０のうちの他方の上に配置され、隣接するセパレータ１０同士をともに締結するためにスナップ嵌め溝６１内に嵌まるように適合されているスナップ嵌め突出部６２とを含む。言い換えれば、スナップ嵌め構造６０はスナップ嵌め突出部６２およびスナップ嵌め溝６１を含むことができ、スナップ嵌め突出部６２は隣接するセパレータ１０のうちの一方の上に配置され、スナップ嵌め溝６１は隣接するセパレータ１０のうちの他方の中に形成され、隣接するセパレータ１０同士をともに締結するために、スナップ嵌め突出部６２とスナップ嵌めされる。
【００５８】
その上、位置決め孔６２１をスナップ嵌め突出部６２内に形成することができ、位置決めボス６１２がスナップ嵌め溝６１の下壁上に配置され、位置決め孔６２１内にフィットする。詳細には、位置決めボス６１２は、位置決め孔６２１内へと上向きに延伸しており、すなわち、スナップ嵌め突出部６２がスナップ嵌め溝６１内にスナップ嵌めされ、それによって、隣接するセパレータ１０を互いに接続することができる。それゆえ、隣接するセパレータ１０は単純な構造を有し、互いに接続するのが容易であり、したがって、高い拡張性を提供する。その上、スナップ嵌め突出部６２およびスナップ嵌め溝６１はまた、複数のセパレータ１０の位置決めの機能をも有し、したがって、隣接するセパレータ１０間の位置決めが容易になり、組み立て速度が向上する。
【００５９】
図４〜図６に示すように、セパレータ１０は、上側フレームプレート１１２を含む。上側フレームプレート１１２は、セパレータ１０の上部に位置する。スナップ嵌め溝６１は上側フレームプレート１１２の前縁および後縁のうちの一方の中に配置され、スナップ嵌め突出部６２は、上側フレームプレート１１２の前縁および後縁のうちの他方の上に配置される。言い換えれば、セパレータ１０はスナップ嵌め溝６１とスナップ嵌め突出部６２の両方を有し、それによって、複数のセパレータ１０が一列に配列されると、複数のセパレータ１０を１つずつ互いにスナップ嵌めすることができる。
【００６０】
代替的に、セパレータ１０は、下側フレームプレート１１３を含む。下側フレームプレート１１３は、セパレータ１０の下部に位置する。スナップ嵌め溝６１は下側フレームプレート１１３の前縁および後縁のうちの一方の中に配置され、スナップ嵌め突出部６２は、下側フレームプレート１１３の前縁および後縁のうちの他方の上に配置される。言い換えれば、スナップ嵌め構造６０は、セパレータ１０の上側フレームプレート１１２と下側フレームプレート１１３の両方の上に配置することができる。さらに、スナップ嵌め構造６０は、上側フレームプレート１１２上にのみ配置することが、または、スナップ嵌め構造６０は、下側フレームプレート１１３上にのみ配置することができ、または、スナップ嵌め構造６０は、同期して上側フレームプレート１１２および下側フレームプレート１１３上に配置することができる。本開示の一実施形態において、スナップ嵌め構造６０は上側フレームプレート１１２および下側フレームプレート１１３上に配置され、それによって、隣接するセパレータ１０の上側部分が互いに接続され、隣接するセパレータの下側部分も互いに接続され、したがって、隣接するセパレータ１０間の接続強度および接続安定性が向上する。さらに、電池収容アセンブリ１００は、電池１０１をより確実に保護する。
【００６１】
複数のスナップ嵌め突出部６２およびスナップ嵌め溝６２をセパレータ１０の上側フレームプレート１１２上に配置することができ、スナップ嵌め突出部６２は、スナップ嵌め溝６２と１対１で対応することができる。複数のスナップ嵌め突出部６２およびスナップ嵌め溝６２がセパレータ１０の下側フレームプレート１１３上に配置され、スナップ嵌め突出部６２は、スナップ嵌め溝６２と１対１で対応することができる。それによって、隣接するセパレータ１０間の接続強度および接続安定性がさらに向上する。
【００６２】
図５に示すような本開示の一実施形態において、スナップ嵌め突出部６２は台形形状を有する、すなわち、上下方向におけるスナップ嵌め突出部６２の突起は台形である。対応して、スナップ嵌め溝６１は、スナップ嵌め突出部にフィットする台形としてのものとすることができ、それによって、スナップ嵌め突出部６２は十分な構造強度を有する。確実に、本開示はこれには限定されず、スナップ嵌め突出部６２およびスナップ嵌め溝６１は、スナップ嵌め突出部６２をスナップ嵌め溝内に安定してスナップ嵌めすることができる限り、任意の他の形状を有してもよい。
【００６３】
図６に示すように、誘導スロープ６１１をスナップ嵌め溝６１の開口に形成することができ、誘導スロープ６１１は、スナップ嵌め溝６１２の内端からその開口へと下向きに傾斜するように構成されている。電池収容アセンブリ１００が組み立てられるとき、誘導スロープ６１１は、スナップ嵌め突出部６２の取り付けに対して誘導機能を実施する、すなわち、スナップ嵌め突出部６２は、誘導スロープ６１１を介してスナップ嵌め溝内に容易に挿入するように誘導され、したがって、組み立て速度が向上し、組み立て難度が低減する。
【００６４】
本開示の別の実施形態によるスナップ嵌め構造６０を、図７〜図１４を参照して以下に説明する。
【００６５】
図７〜図１４に示すように、スナップ嵌め構造６０は、スナップフィット溝６３およびスナップフィットピン６４を含むことができる。スナップフィット溝６３は、セパレータ１０内に形成され、スナップフィットピン６４は、セパレータ１０に対する取り外し可能部材であり、少なくとも２つの取り付け部６４１を含む。少なくとも２つの取り付け部６４１は、少なくとも２つのセパレータ１０を互いに接続するように、少なくとも２つのセパレータ１０のスナップフィット溝６３内にスナップ嵌めされる。言い換えれば、スナップフィットピン６４は、少なくとも２つの隣接するまたは隣接しないセパレータ１０を互いに接続することができる。スナップフィットピン６４を配置することによって、セパレータ１０同士をともに接続することが簡便になり、セパレータを迅速に組み立てることが容易になり、様々な組み立て様式がもたらされる。
【００６６】
図１０および図１３に示すように、本開示のいくつかの実施形態において、スナップフィットピン６４は、接続ブリッジ６４２をさらに含むことができる。２つの取り付け部６４１がそれぞれ接続ブリッジ６４２の２つの端部に配置され、隣接するセパレータ１０を互いに接続するために隣接するセパレータ１０のスナップフィット溝６３内にフィットする。言い換えれば、スナップフィットピン６４は、隣接するセパレータ１０を互いに接続するのみであり得、それによって、スナップフィットピン６４は、相対的に小さい体積および単純な構造を有することができる。それゆえ、電池収容アセンブリ１００のセパレータ１０間の接続構造は単純であり、セパレータ１０を組み立てることは簡便である。セパレータ１０を互いに接続するためにスナップフィットピン６４を使用することによって、電源電池モジュール１０００は、電池の実際の要件に従って任意の数のセパレータ１０を含むことができ、したがって、電源電池モジュール１０００の拡張性が向上する。
【００６７】
スナップフィット溝６３は開口部６３１を有し、隣接するセパレータ１０内のスナップフィット溝６３の開口部６３１は、接続ブリッジ６４２を受け入れるように互いに対向している。それによって、スナップフィットピン６４がセパレータ１０間に配置されると、スナップフィットピン６４の上面はセパレータ１０の上面と同一平面上になり、それによって、電池収容アセンブリ１００の外観は美的になり、スナップフィットピン６４はスナップフィット溝６３内に完全に埋め込まれ、したがって、外力に起因するスナップフィットピン６４に対する損傷が回避される。
【００６８】
本開示のいくつかの実施形態において、スナップフィット溝６３は隣接するセパレータ１０の上側フレームプレート１１２の各々の中に形成することができ、スナップフィットピン６４は、隣接するセパレータ１０を互いに接続するために、隣接するセパレータ１０の上側フレームプレート１１２間に配置することができる。
【００６９】
代替的に、スナップフィット溝６３は隣接するセパレータ１０の下側フレームプレート１１３の各々の中に形成することができ、スナップフィットピン６４は、隣接するセパレータ１０を互いに接続するために、隣接するセパレータ１０の下側フレームプレート１１３間に配置することができる。
【００７０】
本開示の一実施形態において、スナップフィットピン６４は、隣接するセパレータ１０の上側フレームプレート１１２間または隣接するセパレータ１０の下側フレームプレート１１２間にのみ配置されてもよい。代替的に、スナップフィットピン６４は、隣接するセパレータ１０の上側フレームプレート１１２間、および、隣接するセパレータ１０の下側フレームプレート１１３間に同期して配置されてもよい。それゆえ、電池収容アセンブリ１００の様々な取り付け要件を満たすために、セパレータ１０間の様々な接続様式がもたらされる。本開示の一実施形態において、スナップフィットピン６４は、隣接するセパレータ１０の上側フレームプレート１１２間、および、隣接するセパレータ１０の下側フレームプレート１１３間に同期して配置され、それによって、隣接するセパレータ１０の上側部分が互いに接続され、隣接するセパレータ１０の下側部分が互いに接続され、電池収容アセンブリ１００の構造が安定し、したがって、電池１０１のための電池収容アセンブリ１００のより確実な保護、および、電源電池モジュール１０００のより良好な安全性能がもたらされる。
【００７１】
代替的に、取り付け部６４１は、スナップフィット溝６３との締まりばめを有することができ、または、取り付け部６４１は、ボルトを介してスナップフィット溝６３内に取り付けることができ、それによって、スナップフィットピン６４はセパレータ１０と近密に接続することができ、したがって、高い信頼性および高い接続強度がもたらされ、電源電池モジュール１０００の可使時間が向上する。
【００７２】
代替的に、取り付け部６４１は、円形状、台形形状または矩形形状として構成されてもよい。言い換えれば、上下方向における取り付け部６４１の突起は、円形、台形または矩形であってもよい。対応して、スナップフィット溝６３も、取り付け部６４１と適合する円形、台形または矩形として構成される。それゆえ、取り付け部６４１の構造は様々であり、取り付け部６４１をセパレータ１０に組み付けることは簡便である。
【００７３】
本開示の一実施形態において、段部分６４１６が、取り付け部６４１の、スナップフィット溝６３に面する表面上に形成され、取り付け部６４１の段部分６４１６に対応する段部分６３２がスナップフィット溝６３内に形成され、それによって、取り付け部６４１はスナップフィット溝６３内により近密にフィットすることができ、スナップ嵌め構造６０がより安定し、電池収容アセンブリ１００の構造安定性がさらに向上する。
【００７４】
図１３および図１４に示すように、接続ブリッジ６４２は長手方向に延伸し、２つの取り付け部６４１は、長手方向において接続ブリッジ６４２の２つの端部上に配置され、長手方向に対して垂直である、すなわち、取り付け部６４１は横方向に延伸する。言い換えれば、スナップフィットピン６４は、ほぼ「工」形状として構成される。接続ブリッジ６４２の厚さ方向に延伸する複数の突出隆起部６４１１が、取り付け部６４１の外端面上で接続ブリッジ６４２から外方に配置される、すなわち、突出隆起部６４１１は垂直方向に延伸する。スナップフィットピン６４がセパレータ１０内に取り付けられているとき、取り付け部６４１はスナップフィット溝６３にフィットし、取り付け部６４１の外端面上に配置されている突出隆起部６４１１が位置決めおよび誘導機能を実施し、それによって、スナップフィットピン６４の取り付けを容易にする。その上、スナップフィットピン６４の使用時間全体の間にスナップフィットピン６４を保持するように、突出隆起部６４１１とスナップフィット溝６３の壁との間に摩擦力を生成することができる。
【００７５】
本開示のいくつかの実施形態において、突出隆起部６４１１の断面は、弧形状として構成される。代替的に、突出隆起部６４１１の一方の端部は、突出隆起部６４１１の他方の端部に向けて傾いたスロープ６４１２を有する、すなわち、図１４に示すように、垂直方向における突出隆起部６４１１の一方の端部（たとえば、上端）は、垂直方向において突出隆起部６４１１の他方の端部（たとえば、下端）に向けて傾いたスロープ６４１２を有する。代替的に、突出隆起部６４１１の他方の端部（たとえば、下端）の断面は、円として構成されてもよい。それによって、使用中に製品を組み立てることが簡便であり、長手方向における力が突出隆起部６４１１とスナップフィット溝６３の壁との間に生成され得、それによって、スナップフィットピン６４が変形してスナップフィット溝６３から出ることが起こりにくくなる。確実に、本開示の一実施形態において、突出隆起部６４１１は、取り付け部６４１の２つの対向する端面の各々の上に配置することができ、それによって、突出隆起部６４１１とスナップフィット溝６３の壁との間の摩擦力をさらに向上することができ、したがって、スナップフィットピン６４の接続強度がさらに増大する。
【００７６】
本開示の一実施形態において、２つの取り付け部６４１の少なくとも一方は、その厚さ方向において取り付け部６４１を貫通する少なくとも１つの取り外し孔６４１３を有する。スナップフィットピン６４を取り付けるかまたは取り外すとき、操作者は、取り付けまたは取り外しのために取り外し孔６４１３を介してスナップフィットピン６４を保持することができ、それによって、スナップフィットピン６４を迅速に取り付けるかまたは取り外すことが容易かつ簡便になる。代替的に、取り外し孔６４１３にフィットする取り付けボスまたは取り付けピンのような取り付け部材（図示せず）が、スナップフィット溝６３の下壁上に配置されてもよく、それによって、スナップフィットピン６４は、セパレータ１０上により安定して固定することができる。実際の組み立て要件に従って、１つまたは複数の取り外し孔６４１３を設けることができる。
【００７７】
図１３および図１４に示すように、取り付け部６４１は、その厚さにおいて外向きに延伸するベーススタンド６４１４を有する。言い換えれば、ベーススタンド６４１４は長手方向に延伸し、ベーススタンド６４１４の表面は、対応する取り付け部６４１の表面よりも高い。ベーススタンド６４１４は、対応する取り付け部６４１の周縁に形成される。ベーススタンド６４１４を配置することによって、取り付け部６４１の構造強度を増大させることができ、スナップフィットピン６４の強度も向上することができる。さらに、取り付け部６４１は変形しにくく、セパレータ１０間のスナップフィットピン６４の接続強度が向上する。
【００７８】
代替的に、ベーススタンド６４１４の延伸する厚さは１〜１０ｍｍであってもよい。本開示の一実施形態において、ベーススタンド６４１４の延伸する厚さは１〜３ｍｍであり、したがって、ベーススタンド６４１４は適切な厚さを有し、ベーススタンド６４１４の材料を節約することができる。
【００７９】
代替的に、少なくとも１つの強化リブ６４２２が、接続ブリッジ６４２の表面内に形成される。強化リブ６４２２を配置することによって、接続ブリッジの構造強度が強化され、接続ブリッジ６４２は容易には変形せず、したがって、スナップフィットピン６４の可使時間が増大する。
【００８０】
本開示のいくつかの実施形態において、図１３に示すように、複数のボス６４２１が、横方向において接続ブリッジ６４２の２つの側面のうちの少なくとも一方の上に配置され、対応する側面から外向きに突出する。複数のボス６４２１を配置することによって、スナップフィットピン６４とスナップフィット溝６３の壁との間の摩擦力が増大し、したがって、スナップフィットピン６４とセパレータ１０との間の接続強度がさらに増大する。
【００８１】
代替的に、複数のボス６４２１の各々はほぼ半球として構成され、それによって、スナップフィットピン６４の射出成形中にその離型が簡便になる。ボス６４２１のサイズが小さすぎる場合、スナップフィットピン６４とスナップフィット溝６３の壁との間の摩擦力は十分でなく、ボス６４２１のサイズが大きすぎる場合、スナップフィット６４の離型が困難であることが留意されるべきである。好ましくは、ボス６４２１の直径は１ｍｍ〜２ｍｍであり、すなわち、ボス６４２１の接続部および接続ブリッジ６４２の直径は１ｍｍ〜２ｍｍであり得、したがって、スナップフィットピン６４とスナップフィット溝６３の壁との間の摩擦力が保証され、スナップフィットピン６４の離型が容易になる。複数のボス６４２１は長手方向において互いから離間され、それによって、スナップフィットピン６４とスナップフィット溝６３の壁との間の摩擦力は均一になる。
【００８２】
スナップフィットピン６４の接続強度およびスナップフィットピン６４とセパレータ１０との間の協調を考慮すると、スナップフィットピン６４全体の厚さは８ｍｍ〜１５ｍｍであり得る。本開示の一実施形態において、スナップフィットピン６４全体の厚さは１０ｍｍ〜１３ｍｍである、すなわち、上下方向におけるスナップフィット６４の突出の厚さは１０ｍｍ〜１３ｍｍである。それによって、スナップフィットピン６４は十分な構造強度を有し、材料を節約し、スナップフィットピン６４をセパレータ１０に接続することが簡便かつ確実になる。
【００８３】
代替的に、スナップフィットピン６４はプラスチック成形部品またはプラスチック−金属混合成形部品である。たとえば、接続ブリッジ６４２、取り付け部６４１、突出隆起部６４１１、ボス６４２１およびベーススタンド６４１４はプラスチック部品であり、射出成形によって一体的に形成され、これらのプラスチック部品を形成することは用意かつ簡便である。接続ブリッジ６４２、取り付け部６４１、突出隆起部６４１１、ボス６４２１およびベーススタンド６４１４は、ＰＰＯ（ポリフェニレンオキシド）、ＰＰ（ポリプロピレン）、ＰＰＥ（ポリフェニルエーテル）、または内部に金属を埋め込まれているこれらの材料から作製することができる。それによって、これらの構成要素は、安全性能および信頼性の要件を満たす高い耐食性、大きい耐候性、良好な耐火性および高い絶縁性を有し、したがって、スナップフィットピン６４は高い構造強度を有する。
【００８４】
本開示の実施形態による信号収集および電力接続アセンブリ４００を、図１５〜図１９を参照して以下に説明する。
【００８５】
電力接続配線４０７１が、電力接続を実施するように構成されている第１のシート状導体素子によって形成され、信号収集配線４０２１は、信号送信を実施するように構成されている第２のシート状導体素子である。電力接続配線４０７１および信号収集配線４０２１は、互いから独立した２つの導体素子であってもよく、または、部分的に一体化され部分的に互いから独立した２つの導体素子として構成されてもよい。本開示の一実施形態において、信号収集および電力接続アセンブリ４００は、基板４０１上に配置される第３のシート状導体によって形成される共通配線４０３をさらに含む。共通配線４０３は、電力接続部材４０７と結合される第１の端部と、それぞれ電力接続配線４０７１および信号収集配線４０２１の第１の端部と結合される第２の端部とを有する（図１６に示す）。
【００８６】
言い換えれば、電力接続配線４０７１および信号収集４０２１の、電力接続部材４０７と接続される部分は共通配線４０３と一体化され、共通配線４０３は、電力接続配線４０７１による電力接続と、信号収集配線４０２１による信号送信の両方を実施することができる。したがって、電力接続配線４０７１および信号収集配線４０２１のその部分は、ともに一体化することができ、信号収集および電力接続アセンブリ４００の構造がさらに単純化される。
【００８７】
本開示の一実施形態において、信号収集および電力接続アセンブリ４００は、コネクタ４０４をさらに含む。コネクタ４０４は、電力接続配線４０７１の第２の端部および信号収集配線４０２１の第２の端部と接続される。詳細には、本開示の実施形態によるコネクタ４０４は、電力接続４０７１および信号収集４０２１と電気的に結合するように構成され、外部信号出力デバイスおよび電力接続デバイスと結合するように適合され、コネクタ４０４は、実際の条件に従って、市販されているＦＰＣまたはＰＣＢコネクタであってもよい。
【００８８】
信号送信および電力接続を実施するためにコネクタ４０４が外部信号出力デバイスおよび電力接続デバイスと結合することができるかぎり、コネクタ４０４と基板４０１との間の組み立て関係は限定されない。さらに、コネクタ４０４は、基板４０１の縁部に配置される。対応して、電力接続配線４０７１の第２の端部および信号収集配線４０２１の第２の端部が、基板４０１の縁部まで延伸される。それによって、コネクタ４０４が外部信号出力デバイスおよび電力接続デバイスと結合することが簡便になる。
【００８９】
本開示の一実施形態において基板４０１は可撓性基板である。それによって、基板４０１が電源電池を互いに接続するのに使用されるとき、可撓性基板４０１は、複数の電源電池間の相対変位および組み立て許容誤差に適することができ、したがって、その信頼性が向上する。
【００９０】
詳細には、基板４０１は、ＦＰＣ基板の２つの側部にある保護フィルムであってもよく、全体的に、ＰＩフィルムのような可撓性材料から作製される。コネクタ４０４は基板４０１と接続される。基板４０１は、コネクタ４０４を介して外部信号出力デバイスおよび電力接続デバイスと接続され、その接続様式は、はんだ付けのような溶接、機械的接続、および上記２つを組み合わせた混合接続であってもよい。ＦＰＣまたはＰＣＢコネクタの構造は、当業者であれば理解することができ、実装するのが容易であり、したがって、本明細書においては省略する。
【００９１】
信号収集配線４０２１および電力接続配線４０７１の各々の構造は限定されず、基板４０１に対する信号収集配線４０２１および電力接続配線４０７１の各々の組み立て様式も限定されない。本開示の一実施形態において、信号収集配線４０２１および電力接続配線４０７１のうちの少なくとも一方は、基板４０１上に固定される導電性金属シートによって形成される。詳細には、電力接続配線４０７１および信号収集配線４０２１のうちの少なくとも一方を形成する導電性金属シートは、接着、射出成形、ホットプレスおよび溶接のうちの少なくとも１つによって基板４０１上に固定される。
【００９２】
言い換えれば、電力接続配線４０７１および信号収集配線４０２１は、接着、射出成形、ホットプレスまたは溶接によって基板４０１上で一体化される。それによって、これらの方法によって電力接続配線４０７１および信号収集配線４０２１を基板４０１上で一体化することが容易になり、したがって、信号収集および電力接続アセンブリ４００を形成する難度が低減する。
【００９３】
本開示の一実施形態において、電力接続配線４０７１および信号収集配線４０２１のうちの少なくとも一方は、基板４０１上の導電性金属層によって形成される。詳細には、導電性金属層は、基板４０１上の導電性金属コーティングである。言い換えれば、電力接続配線４０７１および信号収集配線４０２１は、基板４０１上の導電性金属コーティングであり、導電性金属コーティングは、電気めっきまたは化学めっきによって形成されてもよい。したがって、二次接続または組み立てなしに電力接続配線４０７１および信号収集配線４０２１が基板４０１上に形成および一体化されることが簡便になり、したがって、信号送信および電力接続の正確さおよび信頼性が向上する。
【００９４】
本開示の一実施形態において、基板４０１は可撓性基板であり、電力接続配線４０７１および信号収集配線４０２１のうちの少なくとも一方は、基板４０１上で導電性金属箔をエッチングすることによって形成される。言い換えれば、電力接続配線４０７１および信号収集配線４０２１は、エッチングによって基板４０１上に形成される。それによって、電力接続配線４０７１および信号収集配線４０２１が基板４０１上に形成されることが簡便になる。
【００９５】
配線スロット（図示せず）が基板４０１の表面内に形成されてもよく、電力接続配線４０７１および信号収集配線４０２１のうちの少なくとも一方は、配線スロット内に配置されることが理解され得る。したがって、電力接続配線４０７１および信号収集配線４０２１を配線スロット内に配置することによって、配線スロットは、電力接続配線４０７１および信号収集配線４０２１を保護する機能を有し、したがって、信号収集および電力接続アセンブリ４００の信頼性が向上する。
【００９６】
詳細には、電力接続配線４０７１および信号収集配線４０２１を配線スロット内に形成することに対する特別な限定はない。本開示の一実施形態において、電力接続配線４０７１および信号収集配線４０２１のうちの少なくとも一方は、配線スロット内に固定される導電性金属シートまたは配線スロット内の導電性金属コーティングによって形成される。本開示の別の実施形態において、電力接続配線４０７１および信号収集配線４０２１のうちの少なくとも一方は、配線スロット内で導電性金属箔をエッチングすることによって形成される。配線スロット内の電力接続配線４０７１および信号収集配線４０２１の各々の構造は、基板４０１上の電力接続配線４０７１および信号収集配線４０２１と同様であり、したがって、これはここでは省略する。
【００９７】
信号収集部材４０２の構造は、収集されるべきデータまたは信号の種類に従って合理的に選択することができる。本開示の一実施形態において、信号収集部材４０２は、温度感知素子、湿度感知素子、圧力感知素子、濃度感知素子、および電圧感知素子のうちの少なくとも１つを含む。言い換えれば、本開示の実施形態による信号収集部材４０２は、温度感知素子、湿度感知素子、圧力感知素子、濃度感知素子、および電圧感知素子のうちの少なくとも１つ、または、それらの組み合わせであってもよい。信号収集部材４０２は、実際の条件に従って合理的に選択することができる。
【００９８】
使用中、信号収集部材４０２は、信号収集および電力接続アセンブリ４００を電源電池と接続するように、ただ基板４０１上に固定され、信号収集配線４０２１内で結合されればよい。したがって、信号収集部材４０２は、信号収集および電力接続アセンブリ４００内に新たな構成要素を追加することなく、温度、電池空気圧、電解質濃度および湿度を収集するために使用することができ、それによって、使用が簡便であり、電源電池の関連データが効率的に収集され、信号収集および電力接続アセンブリ４００のデータ収集の正確さを保証することができる。
【００９９】
本開示の実施形態による基板４０１上での電力接続部材４０７の構造および組み立て様式を、以下に説明する。
【０１００】
本開示の一実施形態において、電力接続部材４０７は、基板４０１上に固定されるシート状導体素子によって形成される。言い換えれば、電力接続部材４０７は、シート状導体素子として構成され、基板４０１上に固定される。
【０１０１】
本開示のいくつかの実施形態において、電力接続部材４０７は、基板４０７上に固定される導電性金属シートによって形成される。詳細には、電力接続部材４０７を形成する導電性金属シートは、接着、射出成形、ホットプレスおよび溶接のうちの少なくとも１つによって基板４０１上に固定される。言い換えれば、電力接続部材４０７は、接着、射出成形、ホットプレスおよび溶接のうちの少なくとも１つによって基板４０１上に一体化されている導電性金属シートとして構成され、したがって、信号収集および電力接続アセンブリ４００を形成する難度を低減する。
【０１０２】
本開示の一実施形態において、電力接続部材４０７は、基板４０１上の導電性金属層によって形成される。詳細には、電力接続部材４０７を形成する導電性金属層は、電気めっきまたは化学めっきによって基板４０１上に形成される導電性金属コーティングである。それによって、二次接続または組み立てなしに電力接続部材４０７が基板４０１上に形成および一体化されることが簡便になり、したがって、信号送信および電力接続の正確さおよび信頼性が向上する。
【０１０３】
本開示の他の実施形態において、電力接続部材４０７は、基板４０１上で導電性金属箔をエッチングすることによって形成される導電性領域であり、それによってまた、電力接続部材４０７が基板４０１上に形成されることも簡便になる。
【０１０４】
さらに、本開示の一実施形態において、基板４０１は、その表面内に電力接続溝（図示せず）を含み、電力接続部材４０７は、電力接続溝内に固定される。電力接続部材４０７は電力接続溝内に配置されるため、電力接続溝は、電力接続部材４０７を保護する機能を有し、したがって、信号収集および電力接続アセンブリ４００の信頼性が向上する。
【０１０５】
詳細には、電力接続部材４０７を電力接続溝内に形成する様式に対する特別な限定はない。本開示の一実施形態において、電力接続部材４０７は、電力接続溝内に固定される導電性金属シートまたは電力接続溝内の導電性金属コーティングによって形成されてもよい。本開示の別の実施形態において、電力接続部材４０７は、電力接続溝内で導電性金属箔をエッチングすることによって形成される。この電力接続部材４０７の構造は、基板４０１上の電力接続部材４０７のものと同様であり、ここでは省略する。
【０１０６】
信号収集および電力接続アセンブリ４００の使用中、信号収集および電力接続アセンブリ４００の電力接続部材４０７は、隣接する電源電池の電極端子と結合され、電力接続部材４０７の数が、結合されるべき電源電池の数を決定する。その上、電力接続部材４０７の配列位置は、種々の電源電池の配列に従って調整することができる。本開示の一実施形態において、複数の電力接続部材４０７が配列され、基板４０１上で互いから離間される。さらに、複数の電力接続部材４０７は、互いに平行に複数の列を成して配列されてもよい。
【０１０７】
本開示のいくつかの実施形態において、複数の電力接続部材４０７が２列に配列されてもよく、２列の電力接続部材４０７は、それぞれ互いに対向して基板４０１の第１の側縁および第２の側縁に沿って延伸する。対応して、信号収集および電力接続アセンブリ４００は、電力接続部材４０７の隣接する２列の間に位置する。言い換えれば、電力接続配線４０７１および信号収集配線４０２１は、電力接続部材４０７の隣接する２列の間に配置され、それぞれ異なる電力接続部材４０７と結合される。それによって、信号収集および電力接続アセンブリ４００は、複数の異なる列を成して配列される複数の電源電池を有する構造に適用することができ、複数の電力接続部材４０７が、隣接する平行に配列された電源電池の電極端子と結合され、電力接続配線４０７１および信号収集配線４０２１は、それぞれ複数の異なる電源電池および外部環境の間の電力接続または信号送信を実施するように構成することができる。
【０１０８】
図１６に示すような本開示の一実施形態において、同じ電力接続部材４０７と結合される電力接続配線４０７１および信号収集配線４０２１は、互いに平行に配列される。それによって、電力接続配線４０７１および信号収集配線４０２１は、互いに干渉することなく配列されて互いから離間され、したがって、電力接続配線４０７１の電力接続の信頼性、および、信号収集配線４０２１の信号送信の正確さが保証される。
【０１０９】
さらに、本開示の一実施形態において、信号収集および電力接続アセンブリ４００は、電力接続部材４０７、信号収集部材４０２、電力接続配線４０７１および信号収集配線４０２１を被覆するための、基板４０１上に配置される保護フィルム（図示せず）をさらに含む。詳細には、本開示の実施形態による保護フィルムは、基板４０１上で電力接続部材４０７、信号収集部材４０２、電力接続配線４０７１および信号収集配線４０２１を一体化することができる。保護フィルムは、耐圧性、絶縁性および耐摩耗性を有し、信号収集および電力接続アセンブリ４００の構造密閉特性を向上することができる。その上、保護フィルムは、電力接続配線４０７１および信号収集配線４０２１を保護する機能を有し、それによって、信号収集および電力接続アセンブリ４００の安全性および信頼性を保証することができる。
【０１１０】
本開示の実施形態のいくつかの実施形態において、信号収集および電力接続アセンブリ４００はＦＰＣ基板として構成され、電力接続部材４０７、電力接続配線４０７１および信号収集配線４０２１は、エッチングによってＦＰＣ基板上に形成される。本開示の一実施形態において、ＦＰＣ基板は、導電性金属箔、および、導電性金属箔の２つの側部を被覆する保護フィルム（図示せず）を含む。保護フィルムは、基板４０１によって形成される。電力接続部材４０７、電力接続配線４０７１および信号収集配線４０２１は、導電性金属箔をエッチングすることによって形成される。さらに、保護フィルムが、導電性金属箔の１つの側部において上記保護フィルム上に配置される。
【０１１１】
言い換えれば、信号収集および電力接続アセンブリ４００の全体が、ＦＰＣ基板として形成される。ＦＰＣ基板は、導電性金属箔、および、導電性金属箔上の保護フィルムを含み、保護フィルムは、基板４０１の一部分によって形成される。導電性金属箔は、電力接続部材４０７、電力接続配線４０７１および信号収集配線４０２１を形成するようにエッチングされる。
【０１１２】
電力接続配線４０７１および信号収集配線４０２１の共通配線４０３は、同じように基板上に形成することができることが理解され得る。詳細には、共通配線４０３は、エッチングによってＦＰＣ基板上に形成される。共通配線４０３は、電力接続部材４０７と結合される第１の端部と、電力接続配線４０７１および信号収集配線４０２１の第１の端部と結合される第２の端部とを有する。それによって、信号収集および電力接続アセンブリ４００を形成する工程が単純化され、信号収集および電力接続アセンブリ４００の信頼性が保証される。
【０１１３】
本開示の当該実施形態による信号収集および電力接続アセンブリ４００は、コネクタ４０４をさらに含む。コネクタ４０４は、電力接続配線４０７１の第２の端部および信号収集配線４０２１の第２の端部と接続される。詳細には、コネクタ４０４は基板４０１上に配置される。さらに、コネクタ４０４は、基板４０４の縁部に配置され、電力接続配線４０７１の第２の端部および信号収集配線４０２１の第２の端部が、基板４０１の縁部まで延伸される。当該実施形態におけるコネクタ４０４の構造および配列は、本開示の上記実施形態におけるコネクタ４０４のものと同様であり、したがって、ここでは省略する。
【０１１４】
電力接続部材４０７と電池１０１との間の接続様式に特別な限定はなく、たとえば、接続様式は溶接またはネジ締めであってもよい。本開示の一実施形態において、電力接続部材４０７は、電極端子４１１と溶接される。本開示の別の実施形態において、信号収集および電力接続アセンブリ４００内に取り付け孔が形成され、位置決め部材（図示せず）が電池群上に配置される。信号収集および電力接続アセンブリ４００は、取り付け孔と位置決め部材との間の接続によって、電池群上に予め位置決めされる。それによって、信号収集および電力接続アセンブリ４００は、種々の様式で電池群と接続されてもよく、すなわち、電力接続部材４０７と電池群との間の接続様式は様々であり、したがって、高い適応性がもたらされる。
【０１１５】
それぞれの電池１０１の間の接続様式に特別な限定はない。本開示の一実施形態において、複数の電池１０１は直列接続、並列接続または直列−並列接続を介して互いに接続され、その接続様式は、インパルス溶接、レーザビーム溶接または機械的接続であってもよい。
【０１１６】
本明細書全体を通じて「一実施形態（ａｎ  ｅｍｂｏｄｉｍｅｎｔ）」、「いくつかの実施形態（ｓｏｍｅ  ｅｍｂｏｄｉｍｅｎｔｓ）」、「１つの実施形態（ｏｎｅ  ｅｍｂｏｄｉｍｅｎｔ）」、「別の例（ａｎｏｔｈｅｒ  ｅｘａｍｐｌｅ）」、「一例（ａｎ  ｅｘａｍｐｌｅ）」、「特定の例（ａ  ｓｐｅｃｉｆｉｃ  ｅｘａｍｐｌｅ）」、または「いくつかの例（ｓｏｍｅ  ｅｘａｍｐｌｅｓ）」が参照されている場合、これは、その実施形態または例に関連して記載されている特定の特徴、構造、材料、または特性が、本開示の少なくとも１つの実施形態または例に含まれることを意味する。したがって、本明細書全体を通じた様々な箇所において「幾つかの実施形態において（ｉｎ  ｓｏｍｅ  ｅｍｂｏｄｉｍｅｎｔｓ）」、「１つの実施形態において、（ｉｎ  ｏｎｅ  ｅｍｂｏｄｉｍｅｎｔ）」、「一実施形態において（ｉｎ  ａｎ  ｅｍｂｏｄｉｍｅｎｔ）」、「別の例において（ｉｎ  ａｎｏｔｈｅｒ  ｅｘａｍｐｌｅ）」、「一例において（ｉｎ  ａｎ  ｅｘａｍｐｌｅ）」、「特定の例において（ｉｎ  ａ  ｓｐｅｃｉｆｉｃ  ｅｘａｍｐｌｅ）」、または「いくつかの例において（ｉｎ  ｓｏｍｅ  ｅｘａｍｐｌｅｓ）」のような語句が見られる場合、これは必ずしも本開示の同じ実施形態または例を参照しているとは限らない。さらに、１つもしくは複数の実施形態または例において、特定の特徴、構造、材料、または特性は、任意の適切な様式で組み合わされてもよい。
【０１１７】
例示的な実施形態が図示および説明されてきたが、上記実施形態は本開示を限定するように解釈されることはあり得ず、本開示の精神、原理および範囲から逸脱することなく実施形態に変更、代替、および修正を行うことができることが、当業者には諒解される。
【図１】
0006274633.tif 000002
【図２】
0006274633.tif 000003
【図３】
0006274633.tif 000004
【図４】
0006274633.tif 000005
【図５】
0006274633.tif 000006
【図６】
0006274633.tif 000007
【図７】
0006274633.tif 000008
【図８】
0006274633.tif 000009
【図９】
0006274633.tif 000010
【図１０】
0006274633.tif 000011
【図１１】
0006274633.tif 000012
【図１２】
0006274633.tif 000013
【図１３】
0006274633.tif 000014
【図１４】
0006274633.tif 000015
【図１５】
0006274633.tif 000016
【図１６】
0006274633.tif 000017
【図１７】
0006274633.tif 000018
【図１８】
0006274633.tif 000019
【図１９】
0006274633.tif 000020